(57)【特許請求の範囲】
【請求項１】
外層（２１）の内面に該外層（２１）から剥離可能な内層（２２）を積層形成してなる積層剥離ボトル（２）と、該ボトル（２）の口部（２ａ）に内嵌された栓体（３）と、ボトル口部（２ａ）の外周部に螺合されるキャップ（４０）とを備え、前記外層（２１）には、内層（２２）と外層（２１）との間に外気を導入するための通気孔（４）が設けられ、前記栓体（３）には内層（２２）の内部に収容された内容液を吐出するための吐出路（１０）が設けられ、該吐出路（１０）にフィルター（７）と逆止弁（８）とが設けられており、前記フィルター（７）は、逆止弁（８）よりも吐出下流側に配設されており、
逆止弁（８）は、吐出路（１０）の一部を構成する弁孔（６）を吐出下流側から閉塞する弁体（１１）により構成され、該弁体（１１）は、弁孔（６）を閉塞する状態から吐出下流側に変位することにより弁孔（６）を開くものであり、弁孔（６）とフィルター（７）の間には、上記弁体（１１）の変位を許容するための空間（９）が設けられており、
前記栓体（３）は、ノズル部（３１）と、ボトル口部（２ａ）の口上面に当接する鍔部（３２）と、略円筒状の嵌合部（３４）と、該嵌合部（３４）内に固定された仕切壁部（３３）とを備え、前記ノズル部（３１）、鍔部（３２）及び嵌合部（３４）が一体的に連設成形されており、該仕切壁部（３３）は、嵌合部（３４）の下部に内嵌された封止キャップ（５）に設けられ、該仕切壁部（３３）の中央に前記弁孔（６）が設けられ、前記空間（９）は、封止キャップ（５）の仕切壁部（３３）とノズル部（３１）の基端部との間に形成されており、
弁体（１１）は、封止キャップ（５）の仕切壁部（３３）とフィルター（７）の間に配設された筒体（１２）に一体的に形成されており、該筒体（１２）によりフィルター（７）が吐出路（１０）内に保持されていることを特徴とするフィルター付き吐出容器。
【請求項２】
フィルター（７）は、該フィルター（７）の吐出下流側から吐出上流側への細菌類の透過を防止するものである請求項１に記載のフィルター付き吐出容器。
【請求項３】
フィルター（７）よりも吐出下流側の吐出路（１０）の内容積が、吐出路（１０）から滴下される内容液の１滴分の容量以下であることを特徴とする請求項１又は２に記載のフィルター付き吐出容器。
【請求項４】
キャップ（４０）には、フィルター（７）よりも吐出下流側の吐出路（１０）に内嵌してその空洞部を埋める突起（４１）が設けられていることを特徴とする請求項１，２又は３に記載のフィルター付き吐出容器。
【発明の詳細な説明】
【０００１】
【発明の属する技術分野】
本発明は、無菌点眼容器として好適に利用できるフィルター付き吐出容器に関し、特に、積層剥離ボトルと栓体とにより液剤収容部に外気が流入することなく内容液剤を吐出し得るフィルター付き吐出容器に関する。
【０００２】
【従来の技術】
点眼剤は、医薬品の溶液、懸濁液または医薬品を用時溶解若しくは懸濁して用いられるものであって、結膜嚢に適用するために無菌に製した製剤である。なお、本明細書において、点眼剤には洗眼剤を含むものとする。
【０００３】
この点眼剤は、人体の中でも最も鋭敏な器官の一つである眼に適用するものであり、特に炎症を起こしている時は感受性が一段と高いため、点眼剤の調製に際しては無菌状態の確保、即ち、単に病原微生物が生存していないというだけでなく、あらゆる微生物が存在しない状態を確保するように注意を払う必要がある。
さらに、無菌であるだけでなく、発熱性物質や不溶性異物が含有しないようにも最大限の配慮がなされている。
【０００４】
かかる点眼剤は、通常、スクイズ性を有する点眼ボトル（点眼容器）に充填されて流通され使用される。この点眼ボトルは、一般にプラスチック材料によって成形される。プラスチック容器に使われる材質としては、ポリエチレン、ポリプロピレン、ポリカーボネート、ポリアリレート、ポリエチレンテレフタレートなどが用いられるが、点眼剤用容器の場合、外部から異物を観察するのに差し支えない程度の透明性と、容器内部からの水分の蒸発による内容成分の濃縮を防止するための水蒸気透過性の低減とを図ることが特に重要となる。さらに、その流通時並びに使用時においても、点眼剤の無菌状態の確保並びに細菌等の不純物の混入を確実に防止するとともに、万が一細菌が容器内に混入した場合でも、点眼の際に滴下される薬液には細菌類を殺菌するよう、従来より種々の考慮がなされている。
【０００５】
開封後の代表的な殺菌方法は、点眼液（内容液剤）に保存剤を添加することである。かかる保存剤としては、ポリモキシン硫酸塩、四級アンモニウム化合物、クロロブタノール、有機水銀、ｐ−ヒドロキシ安息香酸エステル若しくは置換アルコールなどを使用できる。これら保存剤を利用すると、所望の抗微生物性及び抗菌性を得ることができるが、その一方、かかる点眼液を反復使用すると眼の炎症や損傷を引き起こす可能性があるし、また、コンタクトレンズ使用者には低濃度の保存剤でもアレルギー反応を起こすことがある。
【０００６】
そこで、従来より、ボトルの吐出流路から内容製剤を吐出・滴下させる際に、保存剤等の薬効に無関係な添加剤のみを除去すべく、吐出流路内に保存剤等を除去するためのフィルターを配設した点眼容器が、例えば、特開平４−２９７２６４号公報及び特開平６−１４９７２号公報に開示されている。しかし、この従来の点眼容器でも、十分な殺菌効果を得ることができる量の保存剤を内容製剤に添加した場合、保存剤の濃度を十分に低くすることはできない。即ち、上記従来の点眼容器では、細菌類が外気とともに内容製剤中に流入する構造であって、その混入した細菌類を保存剤で殺菌することを前提とするものであるから、内容製剤における保存剤の濃度を低くすることができず、その結果、フィルターを透過させてもある程度の濃度の保存剤が滴下液剤中に残存する。
【０００７】
また、実開昭６３−１８４０３７号公報には、容器本体部内に収容された点眼薬液が滴下される出液孔の内部に、点眼薬液は通過させるが細菌及び空気は透過させ得ない親水性濾過膜を配するとともに、容器本体部を、その末端部が扁平化されたチューブ形状若しくは扁平状態に折り畳み可能な形状をもって形成し、この容器本体部内の容積が、収容された点眼薬液の減少に伴って減少し得るように構成した点眼容器が開示されている。かかる従来の点眼容器では、容器内部への外気の流入を完全に阻止することにより、使用時における内容液剤への細菌類の混入を防止するものであるから、内容液における保存剤濃度を可及的に低減することが可能である。しかしながら、単層構造の容器本体部の塑性的変形を要求するものであり、プラスチック材料では成形困難で、容器本体部をアルミニウムチューブなどにより成形せざるを得ず、日本薬局方の製剤総則に規定されている点眼容器の透明性を確保することができない。さらに、使用に伴って容器本体が扁平状に変形するものであるため、容器を立てて保管しておくことができず、使用時の利便性も良好なものではない。
【０００８】
【発明が解決しようとする課題】
本発明は、上記実情に鑑みてなされたものであり、その目的とするところは、点眼容器として好適に用いることができるスクイズボトルを用いた吐出容器であって、必要に応じて所定の透明性を確保することができ、内容液収容部への外気の流入を阻止して細菌類の混入を防止することができ、開栓後も無菌状態を確保し得る吐出容器を提供することにある。
【０００９】
【課題を解決するための手段】
本発明は、上記目的を達成するために、次の技術的手段を講じた。
【００１０】
即ち、本発明のフィルター付き吐出容器は、外層の内面に該外層から剥離可能な内層を積層形成してなる積層剥離ボトルと、該ボトルの口部に取付けられた栓体とを備え、前記外層には、内層と外層との間に外気を導入するための通気孔が設けられ、前記栓体には内層の内部に収容された内容液を吐出するための吐出路が設けられ、該吐出路にフィルターと逆止弁とが設けられていることを特徴とするものである。
【００１１】
かかる本発明の吐出容器では、逆止弁によって内層内部への外気の流入が阻止され、内容液の減少に伴ってボトル内層は自然収縮するため、内容液に外気とともに細菌類が混入することが防止される。一方、通気孔から内層と外層との間に外気が流入するため、外層を指で押圧すること等によりスクイズ変形させても、該外層の復元弾性によって元の形状に復元し、外層形状は内容液が無くなるまで一定形状に維持される。したがって、本発明の吐出容器は、使用開始から使用終了まで外形が一定であり、容器を立てて保管しておくことができ、使用時の利便性が高いものであるとともに、内層は内容液の減少に伴って収縮し、内層内部に外気が流入しないため、保存剤を添加せずとも無菌状態を確保することができ、さらに、内層材料や外層材料として、所要の透明性、ガスバリア性、水分透過性の良好な樹脂材料を採用することができ、点眼容器として良好な機能が得られる。
【００１２】
なお、上記通気孔には、内層と外層との間への外気の流入は許容するが、内層と外層との間に流入した空気が外層外部に流出することを阻止する逆止弁を設けておくことが好ましく、この逆止弁を設けた場合には、ボトル外層をスクイズ変形させると、内層と外層との間の空気が圧縮されて空気圧が向上し、該空気圧により内層が圧縮されて内容液が吐出路から吐出される。かかる逆止弁を通気孔に設けない場合には、使用者が指などで通気孔を塞いだ状態でボトル外層をスクイズ変形させればよい。
【００１３】
さらに、上記本発明の吐出容器では、吐出路にフィルターが設けられているため、外気に浮遊する細菌類が吐出路からボトル内部に流入することが阻止され、内容液への保存剤の添加量が微量若しくは皆無であっても、開栓後の無菌状態の確保を行うことができる。なお、内容液に保存剤を利用する場合は、上記フィルターに、細菌類の透過防止作用のみならず、保存剤を選択的に除去する濾過作用を有するものを採用するのが好ましい。
【００１４】
また、上記フィルターは、逆止弁よりも吐出下流側に配設することができる。
これによれば、逆止弁周囲、特に、逆止弁の吐出下流側に滞留する内容液をも上記フィルターによって外気から遮断され、該滞留液剤で細菌類が繁殖することを防止できる。したがって、逆止弁とフィルターとの間に、逆止弁が開閉作動するための空間を容易に確保することができ、しかも、該空間内で細菌類が繁殖することを防止できる。
【００１５】
【発明の実施の形態】
本発明の吐出容器は、点眼容器などの各種薬剤容器の他、化粧品容器、その他適宜の容器として実施できる。該容器は、少なくとも上記ボトル及び栓体を備え、さらに、栓体を覆うとともに栓体の吐出路を閉塞する外キャップを備えることができる。
【００１６】
上記積層剥離ボトルは、口部と胴部とを備える構造に成形することができ、射出ブロー成形法、ダイレクトブロー成形法、射出成形法等の適宜の成形法を用いて成形することが可能である。また、内層プリフォームと外層プリフォームとをそれぞれ個別に成形し、内層パリソンを外層パリソンの内側に挿入してなるパリソンをブロー成形することにより積層剥離ボトルを得ることも可能である。該ボトルは、口部及び胴部の全体にわたって内層と外層との積層構造を有するものとすることができる。ボトル口部は、外層や内層の肉厚を比較的厚くすること等により剛性を持たせることが好ましい。一方、ボトル胴部では、外層はスクイズ性並びに復元弾性を有し、内層は内容液の減少に伴って容易に収縮するフィルム状に形成するのが好ましい。なお、上記内層及び外層は、それぞれ単層構造とするのが好ましいが、それぞれが更に多層構造であってもよい。
【００１７】
ボトルの内層材料としては、ポリエチレン（ＰＥ）やポリプロピレン（ＰＰ）等のポリオレフィンの他、適宜の樹脂材料を用いることができる。また、ボトルの外層材料としては、ポリエチレンテレフタレート（ＰＥＴ）やポリエチレンナフタレート（ＰＥＮ）などの飽和ポリエステルの他、適宜の樹脂材料や、軟質ガラスなどを用いることができる。点眼容器として用いる場合には、透明性が大きく水分透過量が少なくなるように配慮して内層材料及び外層材料を選定するが、特に内層は内容製剤に直接接するものであるから、耐薬品性の高い樹脂（例えばＰＥ）を内層材料として採用するのが好ましく、一方、外層材料としては、透明性が高く水分透過の少ない樹脂（例えばＰＥＴや軟質ガラス）を採用するのが良い。
【００１８】
外層ＰＥＴ／内層ＰＥの積層構造ボトルとした場合には、ＥＯ滅菌を好適に実施できる。即ち、容器をＥＯ滅菌する場合の最大の問題は、ＥＯガスの樹脂内への残留とそれの液中への溶出及び液成分との反応であるが、ＰＥやＰＰはＥＯの残留も少なく離脱も早いため、これを内層材料に採用することでＥＯの内容液への溶出量が低減するとともに、水分透過性の小さいＰＥを採用することで水分の蒸発による内容成分の濃縮を抑えることができる。その一方、比較的厚肉の外層を、透明性が高くガス透過性の小さいＰＥＴとすることで、ボトル全体としての透明性の確保とガス透過性及び水分透過性の低減とを達成できる。このように、内層材料として内容製剤に対する耐薬品性が大きく水分透過性の小さなものを採用する一方、外層材料として内層材料に対する易剥離性が大きく強度やスクイズ性の良好なものを採用するなど、内層と外層とにそれぞれ異なる物性を有する材料を利用することができ、全体として機能性の高い点眼容器を容易に構成できる。
【００１９】
上記通気孔は、外層の口部に設けてもよく、胴部に設けてもよく、ボトル底部に設けてもよい。該通気孔には逆止弁を設けることができる。この逆止弁の構造は適宜のものとすることができ、例えば、外層に設けた通気孔に栓状の逆止弁体を嵌め込んでもよく、また、内層を逆止弁として用いることも可能である。即ち、外層の通気孔を内層によって内側から閉塞されるようにし、該内層の閉塞部が、外層と内層との間の空間に負圧が生じたとき大気圧によって内方に変形して通気孔を開くようにすることで、内層を逆止弁として作用させることができる。上記内層の閉塞部は、通気孔を閉塞する状態への復元弾性を有するものであることが好ましい。さらに、通気孔を外層口部に形成し、該通気孔を閉塞する内層口部を内層胴部よりも厚肉に形成し、この内層口部により通気孔の閉塞部を構成し、内層胴部が内容液の減少に伴って収縮するように構成できる。
【００２０】
また、通気孔に逆止弁を設けずとも、外層胴部をスクイズ変形することにより外層と内層の間に存在する空気を加圧し、該空気圧により内層を周囲から押圧して内容液を吐出路から吐出し得るように、通気孔を吐出路よりも小径に構成することにより、外層胴部をスクイズ変形させることにより内圧を向上させて内容液を吐出路から吐出（滴下）させることが可能となる。即ち、内容液が少なくなった状態でボトル胴部をスクイズ変形させると、通気孔が例えば０．１ｍｍ〜０．５ｍｍ程度の小孔により構成されているので、該ボトルの内容積の収縮量が、内層と外層との間の空気が通気孔から外部に排気される量よりも大きくなり、結果的に外層と内層の間に存在する空気が加圧される。すると、この空気圧によって内層が周囲から押圧され、内層が収縮変形されて、内層の内部に収容された内容液が栓体の吐出路から吐出される。この吐出路の実効断面積は、通気孔よりも十分に大きくなされ、この吐出路から内容液が流出する際の流動抵抗が、通気孔から排気される空気の流動抵抗よりも小さくなるように設計することができる。なお、かかる設計で内容液の円滑な吐出を行わせるために、吐出路に設けた逆止弁は、開弁方向には実質的に無抵抗で動作するものであることが好ましい。
【００２１】
上記栓体は、一部材により形成されていてもよく、２以上のパーツを組み合わせて構成されたものでもよい。また、栓体は、ボトル口部に内嵌されるものである。栓体は、上方に突出する吐出ノズル（滴下ノズル）を備えるものとするのが好ましく、この場合、吐出路は、上記ノズルの軸中央部に軸方向に貫通するように設けられる。
【００２２】
上記逆止弁は、吐出路の一部を構成する弁孔を吐出下流側から閉塞する弁体により構成することができる。上記弁孔は、吐出路の上流端若しくは中途部に設けた仕切壁に設けることができ、該仕切壁は、栓体に一体成形されていてもよく、栓体に取付固定されたものであってもよい。上記弁体は、弁孔を閉塞する状態から吐出下流側に変位することにより弁孔を開くものとすることができる。また、弁孔とフィルターの間には、上記弁体の変位を許容するための空間を設けておくことができる。これによれば、弁体の変位を許容するための空間に内容液が滞留しても、該空間は上記フィルターによって外気から遮蔽されているため、該空間内に滞留した内容液に細菌類が混入することが防止される。
【００２３】
また、上記弁体は、弁孔とフィルターの間に配設された筒体に一体的に形成することができ、該筒体と弁体とを変形容易な薄肉片により連設することによって、筒体に対する弁体の上下変位を行わせることができる。また、筒体によりフィルターを吐出路内に保持させることによって、筒体の内部空間を、上記した弁体の変位を許容するための空間として作用させることができ、該筒体によって、弁体の変位空間の確保とフィルターの保持とを行うことができる。
【００２４】
上記フィルターは、該フィルターの吐出下流側から吐出上流側への細菌類の透過を防止するものとすることができる。このようなフィルターとしては、例えば、メンブランフィルターの他、焼結体フィルターや多孔質膜などの適宜のものを採用することができる。
【００２５】
好ましくは、上記フィルターよりも吐出下流側の吐出路の内容積を、吐出路から滴下される内容液の１滴分の容量以下となるように制限するのが良い。例えば、フィルターよりも吐出下流側の吐出路の内容積を、０．０５ｍｌ以下とすることができる。これによれば、フィルター以降で外気と接触する可能性のある内容液を極少量とすることができる。
【００２６】
また、ボトル口部にキャップを取り付け、そのキャップに、フィルターよりも吐出下流側の吐出路に内嵌してその空洞部を埋める突起を設けても良い。これによれば、使用後にフィルター以降で吐出路内に滞留する内容液が、キャップを取り付けることにより、その突起により吐出路から外部に押し出されるか、或いは、フィルターよりも容器内側に押し戻されるため、キャップ取り付け状態ではフィルター以降で吐出路内に内容液が滞留することが防止される。
【００２７】
【発明の実施の形態】
図１及び図２に、本発明の一実施形態に係る吐出容器として点眼容器１を示している。この点眼容器１は、口部２ａ及び胴部２ｂを備えるデラミボトル（積層剥離ボトル）２、吐出ノズル３１を備える栓体３（内キャップ）、及び、キャップ４０（外キャップ）を備えており、使用者がボトル２の胴部を押圧すると、ボトル２内部の点眼液剤（内容液）が栓体３内の吐出流路１０を通って吐出ノズル３１先端から滴下されるようになっている。
【００２８】
上記デラミボトル２は、外層２１と内層２２との積層構造とされている。即ち、これら内外層２１，２２は、共に円筒状の口部２１ａ，２２ａと、断面扁平状の胴部２１ｂ，２２ｂとを有する。言い換えれば、ボトル口部２ａは外層口部２１ａと内層口部２２ａとからなり、ボトル胴部２ｂは外層胴部２１ｂと内層胴部２２ｂとからなる。外層２１は、例えばＰＥＴやＥＶＯＨなどの硬質合成樹脂により成形することができ、内層２２は、外層２１に対して容易に剥離する性質を有する合成樹脂（例えば、ポリエチレンなどのポリオレフィン）により成形できる。内層口部２２ａの上端は、外層口部２１ａ上端に係止されている。また、外層口部２１ａの内周に、軸方向に延びるローレット加工部を周方向に離間して複数設けることができ、これによれば、内層口部２２ａが外層口部２１ａに対して周方向にずれ移動することを防止できる。
【００２９】
外層口部２１ａには、外層胴部２１ｂと内層胴部２２ｂとの間に外気を導入するための通気孔４が設けられている。この通気孔４は、外層２１の内面側から外面側に貫通して形成されており、内層２２には形成されていない。また、キャップ４０とボトル２との間には外気を通気孔４まで流通させるための隙間が確保されている。
【００３０】
内層胴部２２ｂはフィルム状を呈しており、内容液の減少に伴って容易に収縮変形し得るようになっている。一方、内層口部２２ａは、その胴部２２ｂに比して比較的厚肉に形成されており、弾性を呈するようにしている。
【００３１】
外層口部２１ａに形成した通気孔４は、通常時は、内層口部２２ａによって内側から閉塞されている。而して、内層口部２２ａが通気孔４の閉塞部として機能する。この内層口部２２ａは、外層胴部２１ｂと内層胴部２２ｂとの間に負圧が生じたときに大気圧によって内方に変形して通気孔４を開く逆止弁を構成している。
【００３２】
本実施例の内層口部２２ａ（閉塞部）は、通気孔４を閉塞する状態への復元性を有する程度の肉厚と口径とを有している。
【００３３】
なお、内層２２の底部中央には、外層２１の底部中央に係止する鍔部２２ｃが形成されており、内層２２の底部側が上方に捲れ上がることを防止している。
【００３４】
上記栓体３は、上記ノズル部３１と、ボトル口部２ａの口上面（先端面）に当接する鍔部３２と、略円筒状の嵌合部３４と、該嵌合部３４内に固定された仕切壁部３３とを備えている。本実施例では、上記ノズル部３１、鍔部３２及び嵌合部３４が一体的に連設成形されており、仕切壁部３３は、嵌合部３４の下部に内嵌された封止キャップ５に設けられている。この仕切壁部３３の中央には弁孔６が設けられている。
【００３５】
仕切壁部３３とノズル部３１の基端部との間には、フィルター７及び逆止弁８の収容空間９が形成されている。ボトル内層２２の内部空間は、上記弁孔６、収容空間９及びノズル部３１の軸芯部に形成された流路３１ａを介して外部に連通されており、而して、これら弁孔６、空間９及び流路３１ａによって、内層２２の内部に収容された内容液を吐出するための吐出路１０が構成されている。
【００３６】
上記フィルター７としては、本実施例ではメンブランフィルターを採用している。なお、メンブランフィルターに限らず、焼結体フィルターや、親水性多孔質平膜や疎水性多孔質平膜など、フィルター７の吐出下流側（容器外）から吐出上流側（容器内）への細菌類の透過を防止し得るものを適宜用いることができる。
このフィルター７は、逆止弁８よりも吐出下流側に配設されており、図示例ではノズル部３１に隣接配置され、上記空洞部９に内嵌された保持部材５０によって平膜状に保持されている。この保持部材５０には、フィルター７を空洞部９に連通させるための通孔５１が形成されている。
【００３７】
ノズル部３１内の流路３１ａは、フィルター７の中央部から先端側（吐出下流側）に延設されている。なお、ノズル流路３１ａは、先端側に従って徐々に大径となるテーパー状に形成されているとともに、このフィルター７よりも吐出下流側の吐出路１０を構成する流路３１ａの内容積は、ノズル先端から滴下される点眼液の１滴分の容量に相当する０．０５ｍｌ以下となされている。なお、フィルター７として、ノズル流路３１ａ内の点眼剤を吸水し得るものを採用すれば、使用時にノズル流路３１ａ内に点眼剤が滞留することを防止でき、該ノズル流路３１ａ内で細菌類が繁殖することをより一層防止できる。
【００３８】
上記逆止弁８は、吐出路１０の一部を構成する弁孔６を吐出下流側（図示において上側）から閉塞する弁体１１により構成されている。この弁体１１は、仕切壁部３３とフィルター７の間に配設された筒体１２に、図３にも示すように薄肉片１３を介して一体的に連設されている。この筒体１２は、フィルター７を収容空間９（吐出路１０）内に移動不能に保持する保持部材としても用いられている。また、上記保持部材５０は、筒体１２に上部側から内嵌されている。
【００３９】
上記キャップ４０は、ボトル口部２ａの外周部に螺合されており、不使用時にキャップ４０によりノズル部３１周囲を外気から密閉して、埃や細菌類の付着を防止する。また、キャップ４０の天板部中央の下面には、キャップ４０をボトル口部２ａに螺着したときにノズル内流路３１ａに内嵌して、流路３１ａの空洞部を埋める突起４１が下方突出状に設けられている。
【００４０】
本実施例に係る点眼容器１では、開封直後の点眼剤が充填されている状態では、使用者がデラミボトル２の胴部２を短径方向から径内方に押圧すると、外層胴部２１ｂ及び内層胴部２２ｂが径方向内方に変形し、内層２２内の点眼剤は逆止弁８（弁体１１）を開いてノズル３１先端から滴下される。デラミボトル２の押圧を止めると、外層２１は元の形状に復元するが、逆止弁８が閉じることにより内層２２内への内容液の逆流及び外気の流入が生じず、内層２２は元の形状に復帰せず、点眼剤の減少に伴って収縮していく。外層２１が元の形状に復帰する際には、外層胴部２１ｂと内層胴部２２ｂとの間の空間に負圧が生じるから、大気圧によって内層口部２２ａが径内方に変形させられ、外層２１の通気孔４が開いて、内層２２と外層２１との間に通気孔４を介して空気が入り込む。外層胴部２１ｂが元の形状に復帰して通気孔４から十分な外気が導入されると、内層口部２２ａ自体の復元性によって上記した内層口部２２ａの変形が解消されて円筒形状に復帰し、この内層口部２２ａによって通気孔４が閉塞される。
【００４１】
そして、再び使用者がデラミボトル２を押圧するとき、内層口部２２ａが通気孔４を押し塞いでいるため、外層胴部２１ｂと内層胴部２２ｂとの間の空気がボトル外へと漏れ出ることがなく、該空気は外層胴部２１ｂの変形による容積縮小によって圧縮され、この加圧空気によって内層胴部２２ｂを外側から加圧し、内層２２内の点眼剤が吐出路１０を通ってノズル３１先端から滴下される。かかる使用後は、若干量の点眼剤がノズル内流路３１ａに滞留するが、その量は１滴分以下となされているとともに、キャップ４を被冠することによりその僅かな残留点眼剤をもノズル内流路３１ａから除去される。
【００４２】
さらに、本実施例では、仕切壁部３４とフィルター７との間の空間（筒体１２の内部空間であって、弁体１１の開弁のための変位を許容するもの）内に点眼剤が滞留するが、該滞留点眼剤をも、フィルター７によって外気から遮断されているため、細菌類が混入することを防止し、該空間においても無菌状態を確保することができる。
【００４３】
【発明の効果】
本発明によれば、樹脂材料や軟質ガラスをボトル成形材料として用いつつも、内容液の減少に応じてボトル内容積（即ち、内層内部空間の容積）が減少するデラミボトル構造を採用することによって内容液収容部への外気の流入を阻止し、開封後も無菌状態を確保することができ、必要に応じて所定の透明性を確保することができるので、点眼容器に本発明を好適に採用することができる。さらに、デラミボトル構造において外気の流入を阻止する逆止弁の吐出下流側にフィルターを設けているため、逆止弁の開閉動作の為の空間内に内容液が滞留した場合でも、該空間をもフィルターによって外気から遮断されているから、該空間に滞留した内容液内に細菌類が混入することも阻止され、該デラミボトル構造特有の部位における無菌状態の確保をも行うことができる。
【図面の簡単な説明】
【図１】本発明の一実施例に係る点眼容器の一部破断側断面図である。
【図２】同点眼容器の一部破断正面断面図である。
【図３】逆止弁の構造を示す図１のＡ−Ａ線矢視図である。
【符号の説明】
１  点眼容器（吐出容器）
２  積層剥離ボトル（デラミボトル）
２ａ  ボトル口部
２ｂ  ボトル胴部
２１  外層
２１ａ  外層口部
２１ｂ  外層胴部
２２  内層
２２ａ  内層口部
２２ｂ  内層胴部
３  栓体
４  通気孔
６  弁孔
７  フィルター
８  逆止弁
１０  吐出路
１１  弁体
４０  キャップ
４１  突起
【図１】
0004580524.tif 000002
【図２】
0004580524.tif 000003
【図３】
0004580524.tif 000004